(57)【要約】      （修正有）【課題】極めて簡単でシンプルな構造でありながら、確実に自動しおりの効果も期待でき、さらに広告用としての効果も期待できる自動しおりを提供する。【解決手段】書籍に挟んで固定するための固定部と、読書中の頁間に挿入されるしおり部３が、折り部４を介して連接されてなるものであって、さらにこの固定部にＵ字状の切込みにより切込み舌片を、折り部４から離れた位置に、前記Ｕ字状の凸部を折り部４の反対方向に向けて設け、この固定部と舌片で書籍の頁間にしっかり固定されるようにすると共に、前記しおり部３が折り部４で曲げられ開口する頁に常に位置するようにした。【選択図】図１
0003178945.tif 000002
【実用新案登録請求の範囲】
【請求項１】
書籍に挟んで固定するための固定部と、読書中の頁間に挿入されるしおり部が、折り部を介して連接され、
さらに前記固定部にＵ字状の切込み部による切込み舌片を前記折り部の反対方向に向けて設けてなることを特徴とする自動しおり。
【請求項２】
前記切込み部の切込み起点を前記折り部から離して設け、この切込み起点と前記折り部の間に、前記しおり部を書籍から持ち上げるしおり持ち上げ部を形成してなることを特徴とする前記請求項１記載の自動しおり。
【請求項３】
前記しおり部には、表面側には、広告の少なくとも１部を表示する広告表示部を有してなることを特徴とする前記請求項１乃至３記載の自動しおり。
【考案の詳細な説明】
【技術分野】
【０００１】
本考案は、書籍に挟み、ページをめくった時に次のページに自動しおりの先端部が移動し、書籍を閉じると開いていた位置に自動しおりの先端部が保持される機能を有するしおりに関する。
【背景技術】
【０００２】
従来より、書籍のページをめくった時に次のページに自動的にしおりの先端部が移動するタイプのしおりは、いくつか知られている。
【０００３】
例えば、特開２０００−１９０６６１号（以下「特許文献１」という）においては、連結部１４としおり部１３は折り目２９を介して略直角に折り曲げられている実施例が示されている。
しかるに折り目２９は本の厚さ方向に対し折った位置が決められてしまうため、折り目の位置より数ページの時は、折り角度により追従できるが、ページ数が多くなると折り角度に無理が生じ、スムースにしおり部の移動ができず、挟み代えて折り目を作り変えねばならない欠点を有していた。
【０００４】
そのため何度も折り目を作ることになり連結部１４は折り目の痕だらけとなり、折癖が邪魔して上手くしおり部が移動しない結果となっていた。
【０００５】
また連結部１４は１枚のページの水平方向に対し同じ水平方向に幅が広くなっているため、ページをめくったとき、連結部１４の曲げ強度が大きいために柔軟性に欠き、しおり部１３を跳ね上げる形でしかページの送りができず、無理に頁を捲るとしおり部１３のエッジがペーパーナイフのような作用となり、頁紙が破れてしまうという構造上の欠点を有していた。
【０００６】
そこで、実用新案登録第３１４５１５３号（以下「特許文献２」という）なる自動しおり機能を有するブック用具が提案されている。その内容をみると、しおり部２は弾性撓み部３と連結されており、この弾性撓み部３のもう一方の端部は、保持部４の上部と連結され、挟み幅Ｄを０．０５ｍｍから最大４０ｍｍとし、前記弾性撓み部の寸法の長さＬは２０〜７０ｍｍ、高さＨは１〜５ｍｍ、厚さＴは０．２〜１．０ｍｍとした自動しおりである旨、記載されている。
【０００７】
したがって、特許文献２における、しおり部２は弾性撓み部３により、支えられており、材質は、紙でもよい旨の記載があるが、十分この弾性状態を維持するための材料、例えば、ポリプロピレン、アクリル、塩化ビニール等の合成樹脂、又は、軟鋼、ステンレス鋼、アルミ、真鍮などを選択したり、この細長い弾性撓み部３を形成する加工コストも高価になり、市場に普及させるためには各種の問題があった。
【先行技術文献】
【特許文献】
【０００８】
【特許文献１】特開２０００−１９０６６１号
【０００９】
【特許文献２】実用新案登録第３１４５１５３号
【考案の開示】
【考案が解決しようとする課題】
【００１０】
また、図示してはいないが、書店では、販促用の用途にも利用されている広告を兼る長方形状のしおりを書籍の間に挟んで配布している。これは、サービスの一環でもあり、コストが掛からず、広告効果も期待できるしおりとして、提供されているが、自動しおり効果はなかった。
【００１１】
本考案は、従来の自動しおりのように、製造コストが掛からず、極めて簡単でシンプルな構造でありながら、確実に自動しおりの効果も期待でき、さらに広告用としての効果も期待できる自動しおりを提供することを目的とする。
【課題を解決するための手段】
【００１２】
本考案の自動しおりは、書籍に挟んで固定するための固定部と、読書中の頁間に挿入されるしおり部が、折り部を介して連接されるものであって、
さらに前記固定部にＵ字状の切込み部により切込み舌片を前記折り部の反対方向に向けて設けてなるものである。理想的には、請求項２に記載したように、前記切込み舌片の一対の切込み起点を前記折り部から離して設け、この切込み起点と前記折り部の間に、前記しおり部を書籍から持ち上げるしおり持ち上げ部を形成してなることを特徴としている。
【００１３】
また、請求項３における本考案のしおり部の表面側には、広告の少なくとも一部を表示する広告表示部を設けたので、常にページ間にしおり部が表出する機能とマッチングさせたことで広告がより効果的に、印象づけられ広告機能を増大させることができる。
【図面の簡単な説明】
【００１４】
【図１】本考案の一実施例である自動しおりを示す斜視説明図。
【図２】本考案の一実施例である自動しおりの表面、裏面の平面説明図。
【図３】本考案の一実施例である自動しおりを折り畳んだ説明図。
【図４】本考案の一実施例である自動しおりを書籍に挟んだ断面説明図。
【図５】本考案の図1で示す使用例と異なる使用例を示す自動しおりにおける説明図。
【図６】本考案の自動しおりにおける他の実施例（折り部に傾斜を持たせた）説明図。
【図７】本考案の図６の実施例の自動しおりを折り畳んだ説明図。
【図８】本考案の自動しおりにおける他の実施例（一対の切込み起点の高さを異ならせた）説明図。
【図９】本考案の自動しおりの切込み起点における他の実施例を示す説明図。
【考案を実施するための形態】
【００１５】
本考案の実施形態を図面に基づいて説明する。
【実施例】
【００１６】
図２は、本考案の一実施例を示す自動しおり１の表面と裏面を並列して説明した平面説明図であって、書籍に挟んで固定するための固定部２と、読書中の頁間に挿入されるしおり部３が、折り部４を介して連接されてなる。そして、さらに前記固定部２にＵ字状の切込み部５により切込み舌片６を前記折り部４の反対方向に向けて設けてなるものである。理想的な実施例として前記切込み５の一対の切込み起点７ａ、７ｂは、前記折り部４から離して設け、この切込み起点７ａ、７ｂ位置と前記折り部４の間に、前記しおり部を書籍から持ち上げるしおり持ち上げ部８を形成してなるものである。
【００１７】
このように構成された自動しおり1は、使用に際して、図４に示されるように、固定部２を書籍１０の適当な頁（１０ａ）に差し込み、さらに挿入していく、そして切込み部５で形成された舌片６を表面側に持ち上げ、固定部２を差し込んだ書籍１０の頁の後ろ側の紙の１枚又は数枚（図４では２枚）の後頁（１０ｂ）に差し込み、この舌片６と固定部２で挟み込む（図４参照）。また、自動しおり１は、図３に示されるように、固定部２を裏面側からみて、折り部４で手前に折り曲げると、しおり部３の表側が表出して、手前側に見えるようになる。すなわち図４、図１で示される書籍を読んでいる頁（１０ｃ）側にしおり部３の表側が表出されるようになる。
【００１８】
図４に示されるように固定部２が書籍に挟まれ、さらに固定部２の上部であって、折り部４の手前側にしおり持ち上げ部８が形成されている。したがって、しおり部３は、折り部４で折りたたまれ、先端が斜めに書籍１０の開口頁（１０ｃ）に差し込まれることになり、書籍を読み続け、頁を捲っても、頁捲りに支障なく、常に書籍の開口頁（１０ｃ）にしおり部３が差し込まれる。この状態から、書籍１０を閉じてもしおり部３は、今まで読んでいた開口頁（１０ｃ）に差し込まれているため簡単に読書を再開できるようになる。
【００１９】
この自動しおり１の使用態様については、図５に示されるように、書籍１０の横から固定部２を挟み込んで使用しても良い。こうすることで、書籍１０の頁を捲る際、しおり部３を持ち上げることなくよりスムースに頁が捲れる。
【００２０】
また、本考案における他の実施例としては、図２で示された折り部４は、固定部２の長手方向に対して、直行する方向に設けられているが、図６に示されるように、折り部１４を傾斜して設けることにより、図7で示されるように、書籍１０の開口頁に対して自動しおり部１３が斜めに表出し、ページ捲りを容易にしている。
【００２１】
また、この効果は、図８に示されるように、固定部２２の長手方向に直行する線分に対して、切込み起点２７ａ、２７ｂ傾斜して（位置を異ならせて）、設けても良い。こうすることで、しおり部２３は書籍に対して傾斜して差し込まれているので、自動しおり部２３も書籍１０の開口頁に対して斜めに表出し、ページ捲りを容易にしている。
【００２２】
構造上、本考案の自動しおり１のしおり部３、１３、２３は開口頁（１０ｃ）で常に表出しているので、この表面に広告９、１９、２９などを印刷しておくことで、広告効果は高まる。例えば、出版社が、読者向けに読んで欲しい出版物名を印刷したり、キャンペーなどを、あるいはキャラクターなどを印刷しておくことにより読者に伝わりやすいものとなる。
【００２３】
なお、本考案における切込み起点７ａ、７ｂ（１７ａ、１７ｂ、２７ａ、２７ｂ）は、丸穴で構成しても良いが、打ち抜き加工上、丸穴の刃が摩耗しやすく、精度が落ちやすいため、図９に示すようにＵ字状の打ち抜きの内側に僅かに切り込むようにしても良い。こうすることで、丸穴を設けることと同様に、書籍の頁を挟みやすくしてすると共に、切込み起点が不用意に裂けることを防止できる。
【００２４】
以上、のように構成される自動しおり１は、１枚のシートで、材質が、紙や合成樹脂などで、平面状態で印刷、型抜きで簡単に製造でき、製造コストも抑えられる上、従来のしおりとしても、自動しおりとしても、最終利用者である読者の趣向に合わせて利用できる。また自動しおりとして利用する場合には、読者が自動しおり１の折り部４、１４、２４で折り曲げるだけで簡単に自動しおりになる。また自動しおりとして使用した場合、しおり部の表面の広告が常に表出するように構成でき、極めて効果のある自動しおりが提供できるなど産業上極めて有益なものとして普及しやすいものとなる。
【符号の説明】
【００２５】
１、１１、２１・・・自動しおり
２、１２、２２・・・固定部
３、１３、２３・・・しおり部
４、１４、２４・・・折り部
５、１５、２５・・・切込み部
６、１６、２６・・・舌片
７ａ、７ｂ、１７ａ、１７ｂ、２７ａ、２７ｂ・・・切込み起点
８、１８、２８・・・しおり持ち上げ部
９、１９、２９・・・広告表示部
１０・・・書籍
１１・・・頁
【図１】
0003178945.tif 000003
【図２】
0003178945.tif 000004
【図３】
0003178945.tif 000005
【図４】
0003178945.tif 000006
【図５】
0003178945.tif 000007
【図６】
0003178945.tif 000008
【図７】
0003178945.tif 000009
【図８】
0003178945.tif 000010
【図９】
0003178945.tif 000011
【手続補正書】
【提出日】平成24年8月2日(2012.8.2)
【手続補正１】
【補正対象書類名】実用新案登録請求の範囲
【補正対象項目名】全文
【補正方法】変更
【補正の内容】
【実用新案登録請求の範囲】
【請求項１】
書籍に挟んで固定するための固定部と、読書中の頁間に挿入されるしおり部が、折り部を介して連接され、
さらに前記固定部にＵ字状の切込み部による切込み舌片を前記折り部の反対方向に向けて設けてなることを特徴とする自動しおり。
【請求項２】
前記切込み部の切込み起点を前記折り部から離して設け、この切込み起点と前記折り部の間に、前記しおり部を書籍から持ち上げるしおり持ち上げ部を形成してなることを特徴とする前記請求項１記載の自動しおり。
【請求項３】
前記しおり部には、表面側には、広告の少なくとも１部を表示する広告表示部を有してなることを特徴とする前記請求項１または２記載の自動しおり。